(57)【要約】【課題】趣向性の高い可動部材を備えた遊技機を提供する。【解決手段】本実施形態の遊技機１０は、可動役物装置１００を有する。可動役物装置１００は、遊技者と対向する演出窓２３Ｗの前方に可動ベース１２１が設けられて、その可動ベース１２１に第１装飾体１４１〜第３装飾体１４３が前側から重ねて配置されている。第１装飾体１４１〜第３装飾体１４３は、遊技者から見て互いに重ならないように可動ベース１２１の主体部１２３の内側に集合した集合状態と、集合状態に比べて各装飾体１４１〜１４３が分散して、各装飾体１４１〜１４３が可動ベース１２１の主体部１２３の外側にはみ出した分散状態とに変化する。【選択図】図７
2020048640.tif 000002
【特許請求の範囲】
【請求項１】
遊技者と対向する演出窓の前方に第１ベース部材が設けられて、その第１ベース部材に複数の装飾部材が前側から重ねて配置された遊技機であって、
前記複数の装飾部材が、遊技者から見て互いに重ならないように前記第１ベース部材の内側に位置した集合状態と、前記集合状態より前記複数の装飾部材同士が離れかつ少なくとも１つの前記装飾部材の少なくとも一部が前記第１ベース部材の外側にはみ出した分散状態とに変化するように少なくとも１つの前記装飾部材が駆動される遊技機。
【請求項２】
前記第１ベース部材は、前記演出窓の範囲内である第１位置と第２位置との間を往復移動可能に支持される請求項１に記載の遊技機。
【請求項３】
前記複数の装飾部材は、前記第１位置で前記集合状態に変化し、前記第２位置で前記分散状態に変化する請求項２に記載の遊技機。
【請求項４】
前記装飾部材は、前記往復移動に伴って、第１動作を複数周期に亘って繰り返すか、又は前記第１動作と異なる第２動作を複数周期に亘って繰り返す請求項２又は３に記載の遊技機。
【請求項５】
前記第１動作は、往復経路上を往復移動するように駆動される動作であり、前記第２動作は、閉ループ経路上を同一方向に移動し続けるように駆動される動作である請求項４に記載の遊技機。
【請求項６】
前記第１ベース部材は、前記複数の装飾部材を連動させる駆動源を有する遊技機。
【発明の詳細な説明】
【技術分野】
【０００１】
本発明は、演出用の可動部材を備える遊技機に関する。
【背景技術】
【０００２】
従来、この種の遊技機として、遊技状態に応じて演出を行う可動部材を備えたものが知られている（例えば、特許文献１参照）。
【先行技術文献】
【特許文献】
【０００３】
【特許文献１】特開２００７−２６８０４０号公報（図８）
【発明の概要】
【発明が解決しようとする課題】
【０００４】
上述した従来の遊技機においては、従来よりも趣向性の高い可動部材を備えた遊技機の提供が求められていた。
【課題を解決するための手段】
【０００５】
上記目的を達成するためになされた請求項１の発明に係る遊技機は、遊技者と対向する演出窓の前方に第１ベース部材が設けられて、その第１ベース部材に複数の装飾部材が前側から重ねて配置された遊技機であって、前記複数の装飾部材が、遊技者から見て互いに重ならないように前記第１ベース部材の内側に位置した集合状態と、前記集合状態より前記複数の装飾部材同士が離れかつ少なくとも１つの前記装飾部材の少なくとも一部が前記第１ベース部材の外側にはみ出した分散状態とに変化するように少なくとも１つの前記装飾部材が駆動される遊技機である。
【図面の簡単な説明】
【０００６】
【図１】一実施形態に係る遊技機の正面図
【図２】遊技盤の前面図
【図３】機構枠の正面図
【図４】可動演出部材が第２位置に配置された状態の機構枠の正面図
【図５】（Ａ）可動演出部材の正面図、（Ｂ）可動演出部材の上面図
【図６】（Ａ）可動ベースの正面図、（Ｂ）機構盤の正面図
【図７】装飾部材の動作を示す概念図
【図８】装飾体の分解斜視図
【図９】ケース本体の側断面図
【発明を実施するための形態】
【０００７】
以下、図１〜図９に基づいて一実施形態を説明する。本実施形態の遊技機１０は、図１に示した前面枠１０Ｚの後方に、図２に示した遊技盤１１を備え、前面枠１０Ｚのガラス窓１０Ｗを通して遊技盤１１の遊技領域Ｒ１を視認することができる。なお、以下の説明では、遊技機１０に前側から向かって右側（図１の右側）を単に「右側」といい、その反対側を単に「左側」ということとする。
【０００８】
図２に示すように、遊技領域Ｒ１は、全体をガイドレール１２で囲まれ、遊技領域Ｒ１の左上部に進入口１２Ａを備える。そして、遊技機１０の前面右下の発射ハンドル２８（図１参照）を回動操作すると、その操作量に応じた発射強度で前面皿２７内の遊技球が進入口１２Ａを通して遊技領域Ｒ１に打ち込まれる。
【０００９】
遊技領域Ｒ１には、遊技盤１１を貫通する表示開口１１Ｈが形成され、装飾枠２３が前方から嵌め込まれている。その装飾枠２３の上辺部と両側辺部は、遊技盤１１の前面から遊技球の直径程度の大きさで突出していて、これにより、遊技球が装飾枠２３の内側に進入することが規制される。
【００１０】
具体的には、遊技領域Ｒ１のうち装飾枠２３の左側と右側と下側には、それぞれ、遊技球が流下可能な左側遊技領域Ｒ２と右側遊技領域Ｒ３と下側遊技領域Ｒ５が形成されている。また、装飾枠２３の上端部には、ガイドレール１２の上側部分に沿って円弧状に延びた上側円弧壁２５が設けられていて、この上側円弧壁２５とガイドレール１２との間に、遊技球が１つずつ通過可能な上側遊技領域Ｒ４が形成されている。これにより、左側遊技領域Ｒ２及び上側遊技領域Ｒ４を通過した遊技球が右側遊技領域Ｒ３を流下するようになっている。なお、遊技領域Ｒ１の略全体には、複数の障害釘１７が分散配置されている。
【００１１】
また、遊技盤１１の後方には、表示装置１３が備えられ、その表示装置１３の液晶表示画面１３Ｇが装飾枠２３の内側の演出窓２３Ｗを通して前方に臨んでいる。
【００１２】
装飾枠２３の下辺部には、遊技球が転動可能な転動ステージ２４が備えられ、装飾枠２３の左辺部から転動ステージ２４に向かって延びるワープ管２４Ｒを通して遊技球が転動ステージ２４上に進入可能になっている。また、転動ステージ２４の左右方向の中央とその両横部分には、排出口２４Ａ，２４Ｂ，２４Ｂが形成されている。そして、転動ステージ２４を転動する遊技球が中央に向かって転動して、何れかの排出口２４Ａ，２４Ｂ，２４Ｂから装飾枠２３外に排出される。
【００１３】
中央の排出口２４Ａの真下には、第１始動入賞口１４Ａと大入賞口１５とアウト口１６とが上から順番に間隔を開けて並べられている。第１始動入賞口１４Ａは、下側遊技領域Ｒ５の前面から突出する突部の上面に常時開口したポケット構造をなしている。
【００１４】
大入賞口１５は、下側遊技領域Ｒ５の前面に開口した横長の長方形をなし、回動扉１５Ｔによって常時閉塞されている。そして、後述する当否判定の当りに起因して、回動扉１５Ｔが下端部を中心に回動して前傾姿勢になり、多量の遊技球が大入賞口１５に取り込まれる。
【００１５】
アウト口１６は、下側遊技領域Ｒ５の前面に開口すると共に、遊技領域Ｒ１全体の最下端部に位置し、第１始動入賞口１４Ａ等のいずれの入賞口にも入賞しなかった遊技球がアウト口１６に流入する。
【００１６】
なお、左側遊技領域Ｒ２の下端部には、風車１９が設けられている。風車１９は、左側遊技領域Ｒ２を流下してきた遊技球の進路を中央側へ変更して、下側遊技領域Ｒ５へと案内する。
【００１７】
下側遊技領域Ｒ５のうち第１始動入賞口１４Ａの左側には、２つの普通入賞口２０，２０が備えられ、右側には普通入賞口２２が備えられている。また、右側遊技領域Ｒ３における上下方向の中間位置にも、普通入賞口２０が備えられている。普通入賞口２０は、第１始動入賞口１４Ａと同様のポケット構造をなしていて、普通入賞口２２も、常時開口したポケット構造をなしている。また、右側遊技領域Ｒ３の上部には、門形構造の始動ゲート１８が備えられ、その始動ゲート１８の内側を遊技球が上下に通過することができるようになっている。
【００１８】
下側遊技領域Ｒ５のうち第１始動入賞口１４Ａの右側部分には、左下がりに傾斜する転動面を上部に有して遊技球を大入賞口１５へと転案内する第１と第２のガイド部２１Ａ，２１Ｂが上下に並べて設けられている。それらのうち上方の第２ガイド部２１Ｂの転動面は、下方の第１ガイド部２１Ａの転動面より短くなっている。
【００１９】
第２ガイド部２１Ｂの転動面における途中位置には、第２始動入賞口１４Ｂが備えられて上方に向かって開口している。また、第２始動入賞口１４Ｂは、通常は、遊技盤１１の前面のスリットから突出する直動扉１４Ｔにより閉塞され、直動扉１４Ｔの上面が第２ガイド部の転動面の一部を構成している。そして、所定条件の成立に起因して直動扉１４Ｔが後退して第２始動入賞口１４Ｂが開き、遊技球に第２始動入賞口１４Ｂに取り込まれる。
【００２０】
上記した各入賞口１４Ａ，１４Ｂ，１５，２０，２２に遊技球が入賞する度に、所定複数の遊技球が賞球として前面皿２７（図１参照）に払い出される。また、大入賞口１５への入賞に対する賞球数は、それ以外の入賞口１４Ａ，１４Ｂ，２０，２２への入賞に対する賞球数より多くなっている。しかしながら、大入賞口１５は、前述したように通常閉じている。そこで、遊技者は、大入賞口１５が開放されることを願いながら以下のようにして遊技を楽しむことができる。
【００２１】
即ち、第１及び第２の始動入賞口１４Ａ，１４Ｂに遊技球が入賞すると、例えば、所定の確率で当りになる抽選（以下、これを「特図判定」という）が行われ、その抽選結果を報知するために、液晶表示画面１３Ｇに第１〜第３の特別図柄１３Ａ，１３Ｂ，１３Ｃが横並び状態に表示される。各特別図柄１３Ａ，１３Ｂ，１３Ｃは、それぞれ複数種類で構成されていて、それらが所定の変動期間に亘ってスクロール表示された後、停止表示されて、その際の第１〜第３の特別図柄の図柄組合が、当りの図柄組合（例えば、ぞろ目、）か否かにより、判定結果が当り（これを「大当り」という）であるか否か報知される。そして、大当りになると、所定複数回数、所定開放期間に亘って回動扉１５Ｔが開く大当り遊技が実行されて、大入賞口１５への多量の遊技球の入賞が可能になる。
【００２２】
上記した大当りを引き当てるために、遊技者は、第１及び第２の始動入賞口１４Ａ，１４Ｂへの入賞をねらって打つことになる。ここで、第１始動入賞口１４Ａは、左側遊技領域Ｒ２を流下した遊技球が入賞し易く、第２始動入賞口１４Ｂは、右側遊技領域Ｒ３を流下した方が入賞し易い。また、前述したように第２始動入賞口１４Ｂは、通常は、閉じている。第２始動入賞口１４Ｂを開くには、始動ゲート１８を遊技球が通過する必要がある。始動ゲート１８を遊技球が通過すると、例えば、１／２の確率で当りになる抽選（以下、これを「普図判定」という）が行われる。そして、液晶表示画面１３Ｇに１グループの普通図柄１３Ｄが所定の変動期間に亘って変動表示された後、当りか外れか（例えば、奇数か偶数か）の普通図柄を停止表示することで普図判定の判定結果を報知する。そこで当りなると、所定の開放期間に亘って回動扉１４Ｔが開き、第２始動入賞口１４Ｂへの遊技球の入賞が可能になる。ところが、通常状態では、回動扉１４Ｔの開放期間が極めて短いために第２始動入賞口１４Ｂへの遊技球の入賞は、極めて困難になっている。これに対し、後述する「時短状態」になると、回動扉１４Ｔの開放期間が通常状態より長くなって、第２始動入賞口１４Ｂへの入賞が容易になる。
【００２３】
なお、始動ゲート１８の通過によって発生する「普図判定の当否判定権」も、第１又は第２の始動入賞口１４Ａ，１４Ｂへの入賞によって発生する「特図判定の当否判定権」も、共に４つまで保留記憶されるようになっていて、その保留数は、遊技盤１１の前面のうち遊技領域Ｒ１外に備えた点灯表示部１４Ｈ，１８Ｈの点灯数によって報知される。
【００２４】
大当りには、特典が付いているものと付いていないものとがある。特典の１つが上述の「時短」であって、大当りに「時短」特典が付いていると（即ち、「時短付き大当り」になると）、大当り遊技の実行後に、普図判定の変動期間が短くなると共に第２始動入賞口１４Ｂの回動扉１４Ｔの開放期間が長くなる。これにより、普図判定の当りが発生する頻度が高くなると共に、第２始動入賞口１４Ｂに入賞し易くなる。
【００２５】
よって、本実施形態の遊技機１０では、時短付きの大当りを引き当てるまでは、遊技球を左側遊技領域Ｒ２に流下させる左打ちを行い、時短付きの大当りを引き当ててから遊技球を右側遊技領域Ｒ３に流下させる右打ちを行う打ち方が好ましく、そのような打ち方を示唆する画像が液晶表示画面１３Ｇに表示されるようになっている。
【００２６】
また、特典には、「確変」付きの大当りもある。確変付き大当りになると、大当り遊技の実行後に、特図判定で大当りになる確率が通常時の確率（例えば、１／４００）に比べて高確率（１／２００）になる。また、「確変」には、必ず「時短」が付加されていて、所定条件に起因して「確変」のみが消滅して「確変なしの時短状態」になることがある。さらに、大当りに上記特典が付くか否かは抽選で行われ、特図判定が変動表示後に停止したときの図柄組合が「７７７」である場合に、確変・時短付きの大当りとなるように設定されている。
【００２７】
さらに、前述した特図図柄１３Ａ，１３Ｂ，１３Ｃが変動表示された場合は、その後、例えば、左、右、中央の特別図柄１３Ａ，１３Ｃ，１３Ｂの順番に停止する。よって、大当りになる場合は、左右の特別図柄１３Ａ，１３Ｃが同じ図柄で停止したリーチ状態を経て、中央の特別図柄１３Ｂも同じ図柄（即ち、ぞろ目）になる。そして、特図判定の報知を行う間に、特別図柄以外に大当りを予感させる演出用図柄が表示されて遊技者の気持ちを高揚させる。また、遊技機１０の前面の左下に備えた操作ハンドル２９（図１参照）を操作することで演出用図柄の内容が変化し、このことによっても遊技者の気持ちを高揚させる。
【００２８】
本実施形態の遊技機１０では、遊技盤１１の後側に、図３に示される機構枠１７を備えている。機構枠１７には、可動役物装置１００を含む種々の装置が組み付けられている。なお、機構枠１７には、前後方向に貫通する開口部１７Ａが形成され、その開口部１７Ａが装飾枠２３の演出窓２３Ｗ（図２参照）に重ねられて、表示装置１３の液晶表示画面１３Ｇを視認可能とする。
【００２９】
図３及び図４に示されるように、可動役物装置１００は、機構枠１７に固定される支持ベース１１０と、支持ベース１１０に対して直動する可動演出部材１２０と、を有する。支持ベース１１０は、門形状をなし、機構枠１７の側辺部１７Ｓ，１７Ｓに重ねられる側辺ベース部１１１，１１１を有する。
【００３０】
可動演出部材１２０は、左右方向に延び、側辺ベース部１１１，１１１の間に差し渡される可動ベース１２１を有する。各側辺支持ベース部１１１には、上下方向に延びるガイドシャフト１１２がそれぞれ固定され、可動ベース１２１の両端部にガイドシャフト１１２が挿通される図示しないシャフト挿通孔が設けられている。これにより、可動ベース１２１がガイドシャフト１１２に直動可能に支持されている。
【００３１】
側辺ベース部１１１には、１対のプーリ１１３，１１３が回転可能に設けられ、これらプーリ１１３，１１３にタイミングベルト１１４が架け渡されている。タイミングベルト１１４には、内側を向く面にギヤ部１１４Ｇが備えられ、可動ベース１２１の両端部寄り位置にギヤ部１１４Ｇと噛合する図示しないラック部が設けられている。また、支持ベース１１０の上端部裏側には、駆動原１１５Ｋ，１１５Ｋが備えられ、駆動源１１５と上側のプーリ１１３との間がそれぞれ複数のギヤ１１６にて連結されている。これにより、駆動源１１５Ｋが駆動すると、可動演出部材１２０が演出窓２３Ｗ内の上縁部に位置する第１位置（図２及び図３参照）から演出窓２３内の下端寄りに位置する第２位置（図４参照）へと降下する。
【００３２】
図５及び図６に示すように、可動演出部材１２０は、前述した可動ベース１２１と、可動ベース１２１の前方に配置され、可動ベース１２１に対して移動可能な装飾部材１４０と、を有する。可動ベース１２１は、カバー部材１２２と、そのカバー部材１２２に前側を覆われる機構盤１３０と、を有する。
【００３３】
図５（Ｂ）及び図６（Ａ）に示すように、カバー部材１２２は、左右方向に延びる中間部分が後方に開放したケース状をなす主体部１２３になっている。主体部１２３のうち、主体部１２３を左右方向に概ね３分割した中央部分及び右側部分は、左側部分に対して前方に段付き状に突出し、これら中央部分及び右側部分と、左側部分との間が主体部１２３の前面に対して略直交する段差面１２３Ｄになっている。また、主体部１２３のうち、中央部分と右側部分との間には、上下方向に延びる区画溝１２３Ｍが形成されている。そして、主体部１２３の前面のうち、段差面１２３Ｄより左側部分が第１構成面１２３Ａになっていて、段差面１２３Ｄから区画溝１２３Ｍを含む中央部分が第２構成面１２３Ｂになっていて、区画壁１２３Ｍより右側部分が第３構成面１２３Ｃになっている。これら第１構成面１２３Ａ〜第３構成面１２３Ｃは、略正方形状をなしている。
【００３４】
カバー部材１２２の主体部１２３の前方には、装飾部材１４０が配置されている。装飾部材１４０は、複数の装飾体（本実施形態では、３つ）を有し、左側から順に、第１装飾体１４１、第２装飾体１４２、第３装飾体１４３と横並びに配置されている。そして、主体部１２３の前面のうち、第１構成面１２３Ａに第１装飾体１４１が重ねられ、第２構成面１２３Ｂに第２装飾体１４２が重ねられ、第３構成面１２３Ｃに第３装飾体１４３が重ねられ、第２装飾体１４２及び第３装飾体１４３が第１装飾体１４１に対して前方にズレて配置されている。
【００３５】
図５（Ａ）及び図５（Ｂ）に示すように、第１装飾体１４１〜第３装飾体１４３は、前後方向に扁平なケース状をなすケース体１５０から構成されている。各装飾体１４１，１４２，１４３のケース体１５０は、正面から見て略正方形状をなし、一辺の長さが主体部１２３の上下方向の長さと同程度となっていると共に、主体部１２３の段差面１２３Ｄより若干薄くなっている。
【００３６】
図８には、第３装飾体１４３の分解斜視図が示されている。以下、第３装飾体１４３を例に、ケース体１５０の構造について説明する。
【００３７】
ケース体１５０は、前後方向（厚さ方向）の後端寄り位置で、ケース本体１５１と後面蓋１５２とに２分割されていて、後面蓋１５２に可動ベース１２１に連結される連結突部１５２Ａが形成されている。ケース体１５０は、その内部に発光基板１６０と光路構成プレート１６１とを収容し、ケース本体１５１は、例えば、透光樹脂（例えば、透明な樹脂）で構成される一方、後面蓋１５２は、例えば、光を通さない樹脂（例えば、白色の樹脂）で構成されている。
【００３８】
図９に示すように、ケース本体１５１の前面には、装飾カバー１５３が貼られている。装飾カバー１５３は、樹脂製の加飾シートを、所定の文字形に打ち抜き、その文字の外縁部全体を除く一部を前方に膨出させた形状に真空成形してなる。そして、その膨出部分が、文字図柄装飾１５４をなし、例えば、透過性のホログラム構造になっている。本実施形態では、第１装飾体１４１の文字図柄装飾１５４が「Ａ」、第２装飾体１４２の文字図柄装飾１５４が「Ｂ」、第３装飾体１４３の文字図柄装飾１５４が「Ｃ」になっていて（図５（Ａ）参照）、全体として１つの意匠を構成する。
【００３９】
なお、詳細には、文字図柄装飾１５４とケース本体１５１の前面との間は空気層になっている。また、外縁部全体を含む装飾カバー１５３の一部は、非透過性に顔料で着色されている。さらに、ケース本体１５１の前面のうち装飾カバー１５３が貼付されていない部分は、所定の非透過性の背景色（例えば、黒色）の被膜で覆われ、その被膜には、装飾カバー１５３を縁取るように背景色と異なる色の縁取り部が備えられている。
【００４０】
図８に示すように、ケース本体１５１の両側壁１５１Ａ，１５１Ａ、上辺壁１５１Ｂ及び下辺壁１５１Ｃの内面は、細かい突条を横並びに備えた、所謂、洗濯板形状をなし、光を乱反射するようになっている。また、ケース本体１５１には、下縁部に沿って基板嵌合溝１５１Ｍが形成されている。基板嵌合溝１５１Ｍの両端部の両側方で、ケース本体１５１の下辺壁１５１Ｃの両端部寄り位置から起立する突起１５１Ｔ，１５１Ｔと、両側壁１５１Ａ，１５１Ａから突出する突起１５１Ｓ，１５１Ｓとが、発光基板１６０の略同じ厚みの隙間を空けて対峙している。
【００４１】
発光基板１６０は、帯板の両端部を全体に対して幅狭にした形状をなしている。発光基板１６０は、幅広分部の一側縁部（短手方向で対向する一方の側縁部）が基板嵌合溝１５１Ｍに嵌め込まれ、長手方向の両端部の幅狭部分が突起１５１Ｓ，１５１Ｔに上下から挟まれている。また、後面蓋１５２には、基板嵌合溝１５１Ｍに対向するスリット１５２Ｗが形成され、このスリット１５２Ｗに発光基板１６０の幅広分部の他方の一側縁部（短手方向で対向する他方の側縁部）が嵌め込まれている。
【００４２】
発光基板１６０の上面には、その長手方向に複数のＬＥＤ１６０Ａが等間隔に並べて実装されている。また、発光基板１６０の下面の一端部には図示しないコネクタが備えられ、そのコネクタにフラットケーブル１６０Ｃの一端部が接続されている。そのフラットケーブル１６０Ｃは、発光基板１６０の一端側方で上方に折り曲げられ、一方の側壁１５１Ａと突起１５１Ｓ，１５１Ｔとの隙間を通り、ケース体１５０の外側に引き出され、カバー部材１２２及び機構盤１３０の貫通孔を通って機構盤１３０の裏面側の回路基板に接続されている。
【００４３】
光路構成プレート１６１は、透過性樹脂（例えば、透明な樹脂）で構成され、ケース体１５０のうち発光基板１６０の上方に丁度収まる大きさをなしている。光路構成プレート１６１の後面には、微細なディンプル１６１Ｄが形成され、光路構成プレート１６１の側面のうち各ＬＥＤ１６０Ａとの対向部分には、細かい三角突条を横並びに備えた入光部１６１Ａが備えられている。
【００４４】
これにより、発光基板１６０のＬＥＤ１６０Ａが点灯すると、その光が入光部１６１Ａで拡散されて光路構成プレート１６１内に拡がり、ディンプル１６１Ｄで反射して光路構成プレート１６１全体が発光する。そして、その光路構成プレート１６１から前方に向かう光により、装飾カバー１５３に施された文字図柄装飾１５４全体が光る。
【００４５】
図６（Ａ）に示すように、主体部１２３のうち、第１構成面１２３Ａには略円形をなす１対の第１開口部１２４Ａ，１２４Ａが形成され、第２構成面１２３Ｂには上下方向に延びる長孔である１対の第２開口部１２４Ｂ，１２４Ｂが形成され、第３構成面１２３Ｃには略円形をなす１対の第３開口部１２４Ｃ，１２４Ｃが形成されている。そして、各装飾体１４１，１４２，１４３のケース体１５０が、各開口部１２４Ａ，１２４Ｂ，１２４Ｃを介して機構盤１３０に備えられた次述する出力ギヤ１３１〜１３３に連結されている。
【００４６】
図５（Ｂ）及び図６（Ｂ）に示すように、機構盤１３０は、カバー部材１２２の主体部１２３の第２構成面１２３Ｂ及び第３構成面１２３Ｃと対向する部分が、カバー部材１２２の主体部１２３の第１構成面１２３Ａと対向する部分に対して前方に段付き状に突出し、これらの段差部分が傾斜面１３０Ｄになっている。
【００４７】
機構盤１３０の前面のうち、カバー部材１２２の第１開口部１２４Ａ，１２４Ａと対向する位置には、第１出力ギヤ１３１，１３１が回転可能に支持され、カバー部材１２２の第２開口部１２４Ｂ，１２４Ｂと対向する位置には、第２出力ギヤ１３２が回転可能に支持され、カバー部材１２２の第３開口部１２４Ｃ，１２４Ｃと対向する位置には、第３出力ギヤ１３３，１３３が回転可能に支持されている。
【００４８】
第１出力ギヤ１３１，１３１は同一形状をなし、第１出力ギヤ１３１，１３１の間が第１出力ギヤ１３１よりピッチ径が小さいアイドルギヤ１３１Ｒを介して連結されている。そして、両第１出力ギヤ１３１，１３１の両回転中心とアイドルギヤ１３１Ｒの回転中心とが左下がりの直線状に並ぶように第１構成面１２３Ａに配置されている。また、各第１出力ギヤ１３１のうち回転中心から離れた２位置には、ボス１３１Ａとピン孔１３１Ｂとが貫通している。そして、一方の第１出力ギヤ１３１におけるボス１３１Ａの回転位置と、他方の第１出力ギヤ１３１におけるボス１３１Ａの回転位置とが同じになるように両第１出力ギヤ１３１，１３１の位相が合わせられている。なお、カバー部材１２２に形成された各第１開口部１２４Ａは、ボス１３１Ａの旋回領域より僅かに大きな略円形をなしている。
【００４９】
詳細には、上記した第１出力ギヤ１３１，１３１の位相合わせを行うために、機構盤１３０にはピン孔１３１Ｂ，１３１Ｂに対応した図示しない１対のピン孔が形成されている。そして、両第１出力ギヤ１３１，１３１のピン孔１３１Ｂ，１３１Ｂと機構盤１３０のピン孔とにピンを通して第１出力ギヤ１３１，１３１を固定した状態でアイドルギヤ１３１Ｒを組み付けることで、上記した位相合わせが行われる。
【００５０】
機構盤１３０には、第１出力ギヤ１３１，１３１が所定の回転位置になったときにボス１３１Ａ，１３１Ａに対向する図示しない１対の組み付け孔が形成されている。そして、図示しない樹脂ワッシャに通されたビスが、組み付け孔を通して機構盤１３０の後方からボス１３１Ａのボス孔１３１Ｈに挿通され、第１装飾体１４１の後面に備えた連結突部１５２Ａのねじ孔１５２Ｂ（図８参照）に締め付けられている。これにより、第１出力ギヤ１３１，１３１の回転に伴って、第１装飾体１４１が主体部１２３の第１構成面１２３Ａと平行な第１可動面内で姿勢を変えずに回転する。なお、第１装飾体１４１と、次述する第２装飾体１４２及び第３装飾体１４３は、駆動に伴って微振動が可能な状態に支持されている。
【００５１】
第３出力ギヤ１３３，１３３は、第１出力ギヤ１３１と同一形状をなし、第３出力ギヤ１３３同士の間がアイドルギヤ１３３Ｒを介して連結されている。そして、第１出力ギヤ１３１，１３１と線対称になるように、両第３出力ギヤ１３３，１３３の両回転中心とアイドルギヤ１３３Ｒの回転中心とが右下がりの略直線状に並ぶように第３構成面１２３Ｃに配置されている。各第３出力ギヤ１３３にも第１出力ギヤ１３１と同様にボス１３３Ａとピン孔１３３Ｂとが備えられ、一方の第３出力ギヤ１３３のボス１３３Ａの回転位置と、他方の第３出力ギヤ１３３のボス１３３Ａの回転位置とが同じになっている。そして、それらボス１３３Ａのボス孔１３３Ｈに後方から挿通したビスが第３装飾体１４３の後面に備えた連結突部１５２Ａのねじ孔１５２Ｂ（図８参照）に締め付けられている。これにより、第３出力ギヤ１３３，１３３の回転に伴って、第３装飾体１４３が主体部１２３の第２構成面１２３Ｂ及び第３構成面１２３Ｃと平行な第２可動面内で姿勢を変えずに回転する。なお、第２可動面は、第１可動面に対して前方に位置し、かつ、第１可動面と平行になっている。
【００５２】
第２出力ギヤ１３２は、外周面のギヤ部１３２Ｇを前方が覆う拡張フランジ１３２Ｆを備えている。ギヤ部１３２Ｇは、第１出力ギヤ１３１と同一形状をなしている。拡張フランジ１３２Ｆには、前方に突出するボス１３２Ａが備えられている。そのボス１３２Ａの旋回径は、前述したボス１３１Ａ，１３３Ａの旋回径より大きくなっている。また、第２構成面１２３Ｂの第２開口部１２４Ｂ，１２４Ｂは、第２構成面１２３Ｂの左右の両端寄り位置で上下方向の延び、それらの長さは、ボス１３２Ａの旋回径以上になっている。さらには、主体部１２３の後面には、第２開口部１２３Ｂ，１２３Ｂと交差するように延びる横長部材１２５が重ねられている。横長部材１２５は、前方に突出する複数のボス１２５Ａを有し、これら複数のボス１２５Ａが第２開口部１２３Ｂ，１２３Ｂを介して第２装飾体１４２の後面に備えた連結突部１５２Ａに突き当てられてねじ止めされている。そして、その横長部材１２５に形成された横長のガイド溝１２５Ｍに第２出力ギヤ１３２のボス１３２Ａが係合している。これにより、第２出力ギヤ１３２の回転に伴って第２装飾体１４２が第２可動面内で姿勢を変えずに上下に往復移動する。
【００５３】
上記した第１出力ギヤ１３１〜第３出力ギヤ１３３は、図５（Ｂ）及び図６（Ｂ）に示される１つの駆動源１３０Ｋ（例えば、ステッピングモータ）にて駆動される。その駆動源１３０Ｋのステータは、機構盤１３０のうち第３出力ギヤ１３３周辺の後面側に取り付けられ、駆動源１３０Ｋの回転出力軸に固定されたモータ出力ギヤ１３４が機構盤１３０の前面側に突出している。そして、このモータ出力ギヤ１３４が上側の第３出力ギヤ１３３に噛合している。
【００５４】
上側の第３出力ギヤ１３３と第２出力ギヤ１３２との間は偶数個（具体的には２個）のアイドルギヤ１３５Ｒを介して連結され、上側の第１出力ギヤ１３１と第２出力ギヤ１３２との間は奇数個（具体的には１個）のアイドルギヤ１３５Ｒを介して連結されている。換言すれば、対称配置された上側の第１出力ギヤ１３１と、上側の第３出力ギヤ１３３とは、第２出力ギヤ１３２をアイドルギヤとして含む偶数個のアイドルギヤ（１３５Ｒ，１３２，１３５Ｒ，１３５Ｒ）にてギヤ連結されている。これにより、対称配置された第１出力ギヤ１３１と第３出力ギヤ１３３とが対称回転する。そして、第１装飾体１４１と第３装飾体１４３とが対称的に旋回するように第１出力ギヤ１３１と第３出力ギヤ１３３とが位相合わせされている。
【００５５】
ここで、可動演出部材１２０が第１位置（図２及び図３参照）に配置された状態では、装飾部材１４０の各装飾体１４１〜１４３は、図７（Ａ）に示すように、可動ベース１２１の主体部１２３の内側に位置する原点位置に配置されている。各装飾体１４１〜１４３が原点位置に配置された状態では、第１装飾体１４１及び第３装飾体１４３が第２装飾体１４２に対して最も接近した集合状態となっている。なお、原点位置では、第２装飾体１４２が上下方向の可動範囲の中央に位置し、第１装飾体１４１が可動範囲の最も右側に位置し、第３装飾体１４３が可動範囲の最も左側に位置するように第１出力ギヤ１３１〜第３出力ギヤ１３３が位相合わせされている。
【００５６】
可動演出部材１２０は、予め設定された第１演出条件が成立したときに、第１位置から第２位置（図４参照）へと移動し、可動演出部材１２０が第２位置に配置された状態で予め設定された第２演出条件が成立したときに、各装飾体１４１〜１４３が可動ベース１２１の主体部１２３の外側にはみ出すように移動して、各装飾体１４１〜１４３が離間した分散状態に変化する。なお、可動演出部材１２０が第２位置に到達する前に第２演出条件が成立し、各装飾体１４１〜１４３が移動する構成であってもよいし、可動演出部材１２０が第１位置に配置された状態で第２演出条件が成立し、各装飾体１４１〜１４３が移動する構成であってもよい。
【００５７】
具体的には、第２演出状態が成立すると、図７（Ａ）から図７（Ｂ）の変化に示すように、第２装飾体１４２が上方に移動し、第１装飾体１４１が上方で反時計回り方向に移動すると共に第３装飾体１４３が上方で時計回り方向に移動して、第２装飾体１４２に対して第１装飾体１４１及び第３装飾体１４３が徐々に離間していく。そして、図７（Ｂ）に示すように、第２装飾体１４２が可動範囲の上端位置に配置されると、第１装飾体１４１及び第３装飾体１４３も共に可動範囲の上端位置に配置される。
【００５８】
第２装飾体１４２が可動範囲の上端位置に至ると、第２装飾体１４２が逆方向である下方に移動し、第１装飾体１４１が下方で反時計回り方向に移動すると共に第３装飾体１４３が下方で時計回り方向に移動する。そして、第２装飾体１４２が可動範囲の中央に位置すると、図７（Ｃ）に示すように、第１装飾体１４１が可動範囲の最も左側位置に位置すると共に第３装飾体１４３が可動範囲の最も右側位置に位置して半同期位置に至る。各装飾体１４１〜１４３が半同期位置に配置された状態では、第２装飾体１４２に対して第１装飾体１４１及び第３装飾体１４３が左右方向で最も離間した状態となっている。なお、半同期位置では、第２装飾体１４２は、可動ベース１２１の主体部１２３の内側に位置し、第１装飾体１４１及び第３装飾体１４３は、その大部分が可動ベース１２１の主体部１２３の内側に位置している。
【００５９】
第２装飾体１４２が可動範囲の中央位置から下方へと移動すると、第１装飾体１４１が下方で反時計回り方向に移動する共に第３装飾体１４３が下方で時計回りに移動して、第２装飾体１４２に対して第１装飾体１４１及び第３装飾体１４３が徐々に接近する。そして、図７（Ｄ）に示すように、第２装飾体１４２が可動範囲の下端位置に配置されると、第１装飾体及び第３装飾体１４３も共に可動範囲の下端位置に配置される。
【００６０】
第２装飾体１４２が可動範囲の下端位置に至ると、第２装飾体１４２が再び逆方向である上方に移動し、第１装飾体１４１が上方で反時計回り方向に移動すると共に第３装飾体１４３が上方で時計回り方向に移動する。そして、第２装飾体１４２が可動範囲の中央位置に至ると、第１装飾体１４１が可動範囲の最も右側位置に位置すると共に第３装飾体１４３が可動範囲の最も左側位置に位置し、図７（Ａ）に示す原点位置に至る。
【００６１】
即ち、本実施形態では、第２装飾体１４２が、上下方向に延びる経路上を向きを逆転させて往復移動する一方、第１装飾体１４１及び第３装飾体１４３が、円軌道を描く閉ループ経路上を同一方向に移動する。これにより、装飾部材１４０は、左側から順に第１装飾体１４１、第２装飾体１４２、第３装飾体１４３の並びを維持した状態で、第２装飾体１４２に対して第１装飾体１４１及び第３装飾体１４３が接離する。また、第２装飾体１４２の動作と、第１装飾体１４１及び第３装飾体１４３の動作は異なるものの、第１装飾体１４１の１周期と、第２装飾体１４２の１周期と、第３装飾体１４３の１周期が同じになっている。なお、第１装飾体１４１の１周期と、第２装飾体１４２の１周期と、第３装飾体１４３の１周期が異なっていてもよい。各装飾体１４１〜１４３の１周期を異ならせる場合には、各装飾体１４１〜１４３に対応する駆動源をそれぞれ設けた構成とすればよい。
【００６２】
装飾部材１４０が駆動しているときには、各装飾体１４１〜１４３内に備えられたＬＥＤ１６０Ａ（図８参照）が発光し、各装飾体１４１〜１４３の文字図柄装飾１５４が発光する演出が実行される。各装飾体１４１〜１４３は、上述した動作を複数周期に亘って繰り返した後、原点位置で停止し、予め設定された第３演出条件が成立したときに、可動演出部材１２０が第２位置から第１位置へと移動する。
【００６３】
このように、本実施形態の遊技機１０では、可動役物装置１００に設けられた第１装飾体１４１〜第３装飾体１４３が複数周期に亘って動作を繰り返す際に、上下左右の向きを一定の状態に維持した状態で駆動されるので、遊技者に対して上下左右の向きを変えずに第１装飾体１４１〜第３装飾体１４３を視認させることができる。これにより、第１装飾体１４１〜第３装飾体１４３による趣向性の高い演出を実現できる。
【００６４】
本実施形態では、第２装飾体１４２と、第１装飾体１４１及び第３装飾体１４３とが互いに異なる動作を複数周期に亘って繰り返し、これら第２装飾体１４２と、第１装飾体１４１及び第３装飾体１４３とが同時に動作している間に接近と接離を繰り返すので、可動役物装置１００による趣向性の高い演出を実現できる。また、本実施形態では、第１装飾体１４１〜第３装飾体１４３が左から右の順に並んだ状態を維持しながら離接を繰り返すので、第１装飾体１４１〜第３装飾体１４３によってなされる範囲を大きく見せながら、これらによってなされる意味を遊技者に伝えることができる。
【００６５】
本実施形態では、可動役物装置１００の可動ベース１２１に対して第１装飾体１４１〜第３装飾体１４３が、図７（Ａ）に示す集合状態から、図７（Ｂ）〜図７（Ｄ）に示す分散状態に変化するように駆動される。このように第１装飾体１４１〜第３装飾体１４３が集合状態から分散状態に変化することで、第１装飾体１４１〜第３装飾体１４３によってなされる範囲をより大きく見せることができる。
【００６６】
以下、本実施形態の遊技機１０から抽出される特徴群について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００６７】
＜特徴Ａ群＞
［特徴Ａ１］
第１の動作（上下方向に往復移動する動作）を複数周期に亘って繰り返す第１可動部材（第２装飾体１４２）と、前記第１の動作と異なる第２の動作（円軌道上を移動する動作）を複数周期に亘って繰り返す第２可動部材（第１装飾体１４１、第３装飾体１４３）とを有する可動役物（可動役物装置１００）を備えた遊技機（遊技機１０）であって、
前記第１可動部材及び前記第２可動部材が、同時に動作している間に接近と離間を繰り返す（図７に示される第１装飾体１４１〜第３装飾体１４３の状態）遊技機。
【００６８】
本特徴の遊技機では、第１可動部材と第２可動部材が互いに離接しながら異なる動作を繰り返すことで、可動役物による趣向性の高い演出を実現できる。
【００６９】
［特徴Ａ２］
前記第１の動作は、前記第１可動部材が往復経路（第２開口部１２４Ｂ）上を向きを逆転させて往復移動する動作である一方、
前記第２の動作は、前記第２可動部材が閉ループ経路（第１出力ギヤ１３１のボス１３１Ａ及び第３出力ギヤ１３３のボス１３３Ａの回転軌道）上を同一方向に移動し続ける動作である特徴Ａ１に記載の遊技機。
【００７０】
本特徴の遊技機では、第１可動部材と第２可動部材が趣向性の高い動作をすることで、遊技者の気持ちを高揚させることができる
【００７１】
［特徴Ａ３］
前記第１可動部材と前記第２可動部材とが前記往復経路の一端と他端とを結ぶ方向である第１方向（上下方向）と直交する第２方向（左右方向）で並んでいる特徴Ａ２に記載の遊技機。
【００７２】
本特徴の遊技機では、第２方向で並ぶことで第１可動部材と第２可動部材の一体感が保持される。
【００７３】
［特徴Ａ４］
前記第１可動部材は、第１の可動面（主体部１２３のうち、第２構成面１２３Ｂと平行な第２可動面）内で動作し、前記第２可動部材（第１装飾体１４１）は、前記第１の可動面を、それを交差する方向に平行移動した第２の可動面（主体部１２３のうち、第１構成面１２３Ａと平行な第１可動面）内で動作する特徴Ａ１乃至Ａ３の何れか１に記載の遊技機。
【００７４】
本特徴の遊技機では、第１可動部材と第２可動部材が平行関係にある別々の可動面内で動作するので、可動役物の動作に立体感を持たせることができる。
【００７５】
［特徴Ａ５］
前記第１可動部材が、前記第１方向の一端（図７（Ｂ）に示す上端位置）に到達するタイミングと、前記第２可動部材が、前記第１方向の一端又は他端（図７（Ｂ）に示す上端位置）に到達するタイミングとが略同一であり、
前記第１可動部材が前記第１方向の他端（図７（Ｄ）に示す下端位置）に到達するタイミングと、前記第２可動部材が前記第１方向の他端又は一端（図７（Ｄ）に示す下端位置）に到達するタイミングとが略同一である特徴Ａ３又はＡ４に記載の遊技機。
【００７６】
本特徴の遊技機では、第１可動部材と第２可動部材が移動方向を一致させながら動作するので、第１可動部材と第２可動部材の動作に一体感が保持される。
【００７７】
［特徴Ａ６］
前記第１可動部材の１周期と前記第２可動部材の１周期とが同じである特徴Ａ１乃至Ａ５の何れか１に記載の遊技機。
【００７８】
本特徴の遊技機では、第１可動部材と第２可動部材の動作周期が同じなので、第１可動部材と第２可動部材の動作に一体感が保持される。
【００７９】
［特徴Ａ７］
前記第１可動部材の１周期と前記第２可動部材の１周期とが異なる特徴Ａ１乃至Ａ５の何れか１に記載の遊技機。
【００８０】
本特徴の遊技機では、第１可動部材と第２可動部材の動作周期が異なるので、可動役物による演出を多様化させることができる。
【００８１】
［特徴Ａ８］
前記第１可動部材及び前記第２可動部材の一方の可動部材（第１装飾体１４１、第３装飾体１４３）が他方の可動部材（第２装飾体１４２）を挟んだ２箇所に対称的に配置されると共に、それら一方の可動部材が対称的に動作する特徴Ａ１乃至Ａ７の何れか１に記載の遊技機。遊技機。
【００８２】
本特徴の遊技機では、対照的に動作する２つの可動部材が１つの可動部材を挟む構成になっているので、可動役物による趣向性に優れた演出を実現できる。
【００８３】
［特徴Ａ９］
第１の動作（上下方向に往復移動する動作）を複数周期に亘って繰り返す第１可動部材（第２装飾体１４２）と、前記第１の動作と異なる第２の動作（円軌道上を移動する動作）を複数周期に亘って繰り返す第２可動部材（第１装飾体１４１、第３装飾体１４３）とを有する可動役物（可動役物装置１００）を備えた遊技機（遊技機１０）であって、
前記第１の動作は、往復経路（第２開口部１２４Ｂ）上の向きを逆転させて往復移動する動作である一方、前記第２の動作は、閉ループ経路（第１出力ギヤ１３１のボス１３１Ａ及び第３出力ギヤ１３３のボス１３３Ａの回転軌道）上を同一方向に移動し続ける動作であり、
前記第１可動部材及び前記第２可動部材は、前記往復経路の一端と他端とを結ぶ方向である第１方向（上下方向）と直交する第２方向（左右方向）で並んだ状態で接近と離間を繰り返す遊技機。
【００８４】
本特徴の遊技機では、第１可動部材と第２可動部材が第２方向で並ぶことで第１可動部材と第２可動部材の一体感を保持しつつ、互いに異なる動作を繰り返すことで、可動役物による趣向性の高い演出を実現できる。
【００８５】
［特徴Ａ群に含まれる他の実施形態］
（ａ１）上記実施形態では、各装飾体１４１〜１４３が上下方向に往復移動する動作又は円軌道を描く閉ループ経路上を同一方向に移動する動作を複数周期、繰り返す構成になっていたが、各装飾体１４１〜１４３が上記動作を１周期だけ行う構成であってもよい。また、駆動源１３０Ｋを正方向に駆動させて各装飾体１４１〜１４３を１周期分、駆動させた後、駆動源１３０Ｋを逆方向に駆動させて各装飾体１４１〜１４３を反対方向に１周期分、駆動させる動作を繰り返す構成であってもよい。
【００８６】
（ａ２）上記実施形態では、第２装飾体１４２を上下方向に往復移動させ、第１装飾体１４１及び第３装飾体１４３を円軌道を描いて対称的に移動させて、接近と離間を繰り返す構成になっていたが、例えば、第２装飾体１４２を上下方向に直動させ、第１装飾体１４１及び第３装飾体１４３を左右方向に対称的に直動させて、接近と離間を繰り返す構成としてもよい。また、第２装飾体１４２を固定して、第１装飾体１４１及び第３装飾体１４３のみを左右方向に対称的に移動させて、接近と離間を繰り返す構成としてもよい。
【００８７】
（ａ３）上記実施形態では、図５（Ｂ）に示すように、第１装飾体１４１に対して、第２装飾体１４２及び第３装飾体１４３が前方にズレて配置され、第１装飾体１４１が第１可動面（可動ベース１２１の主体部１２３の第１構成壁１２３Ａと平行な面）内で動作し、第２装飾体１４２及び第３装飾体１４３が第２可動面（可動ベース１２１の主体部１２３の第２構成壁１２３Ｂと平行な面）内で動作する構成であったが、例えば、第３装飾体１４３を第２装飾体１４２に対して前方又は後方にズレて配置し、第１可動面及び第２可動面をそれと交差する方向に平行移動させた第３可動面内で動作させる構成であってもよい。
【００８８】
（ａ４）上記実施形態では、第１装飾体１４１と第３装飾体１４３を対称的に配置していたが、これら第１装飾体１４１と第３装飾体１４３を非対称に配置してもよい。
【００８９】
＜特徴Ｂ群＞
［特徴Ｂ１］
第１の順番（左から右の順）で並んで全体で１つの意味をなす少なくとも２つ以上の複数の装飾部材（第１装飾体１４１〜第３装飾体１４３）を有する遊技機（遊技機１０）であって、
前記複数の装飾部材が、前記第１の順番の並びを維持する範囲で相対位置が変化するように、少なくとも１つの前記装飾部材が他の前記装飾部材と離接を繰り返すように駆動される遊技機。
【００９０】
本特徴の遊技機では、複数の装飾部材が第１の順番の並びを維持しながら離接を繰り返すので、複数の装飾部材によってなされる範囲を大きく見せながら、これらによってなされる意味を遊技者に伝えることができる。これにより、装飾部材による趣向性の高い演出を実現できる。
【００９１】
［特徴Ｂ２］
前記装飾部材は、上下左右の向きが一定の状態で維持されると共に、往復経路（第２開口部１２４Ｂ）上を往復移動するように駆動されるか、又は閉ループ経路（第１出力ギヤ１３１のボス１３１Ａ及び第３出力ギヤ１３３のボス１３３Ａの回転軌道）上を同一方向に移動し続けるように駆動される特徴Ｂ１に記載の遊技機。
【００９２】
本特徴の遊技機では、装飾部材が上下左右の向きを一定の状態に保ちながら多様な動作をするので、複数の装飾部材がなす意味を常に視認させながら、遊技者の気持ちを高揚させることができる。
【００９３】
［特徴Ｂ３］
前記装飾部材は、１つの可動面（主体部１２３のうち、第１構成面１２３Ａと平行な第１可動面及び第２構成面１２３Ｂと平行な第２可動面）内で駆動される特徴Ｂ１又はＢ２に記載の遊技機。
【００９４】
本特徴の遊技機では、装飾部材が１つの可動面内で駆動するので、遊技者には常に同じ面を視認させることができる。
【００９５】
［特徴Ｂ４］
前記複数の装飾部材のうち、少なくとも１つ（第２装飾体１４２）が第１の可動面（主体部１２３のうち、第２構成面１２３Ｂと平行な第２可動面）内で駆動し、他の前記装飾部材（第１装飾体１４１、第３装飾体１４３）が、前記第１の可動面を、それを交差する方向に平行移動した第２の可動面（主体部１２３のうち、第１構成面１２３Ａと平行な第１可動面）内で動作する特徴Ｂ３に記載の遊技機。
【００９６】
本特徴の遊技機では、複数の装飾部材が奥行の異なる第１，第２の可動面内で駆動するので、装飾部材全体を立体的に表すことができる。また、遊技者に対して特に強調したい装飾部材を前方に設置することができる。
【００９７】
［特徴Ｂ５］
前記往復経路上で駆動される前記装飾部材が前記往復経路の一端と他端を結ぶ第１方向（上下方向）の一端（図７（Ｂ）に示す上端位置）に到達するタイミングと、前記閉ループ経路上で駆動される前記装飾部材が前記第１方向の一端又は他端（図７（Ｂ）に示す上端位置）に到達するタイミングとが略同一であり、
前記往復経路上で駆動される前記装飾部材が前記第１方向の他端（図７（Ｄ）に示す下端位置）に到達するタイミングと、前記閉ループ経路上で駆動される前記装飾部材が前記第１方向の他端又は一端（図７（Ｄ）に示す下端位置）に到達するタイミングが略同一である特徴Ｂ２乃至Ｂ４の何れか１に記載の遊技機。
【００９８】
本特徴の遊技機では、複数の装飾部材が移動方向を一致させながら動作するので、装飾部材全体の動作に一体感が保持される。
【００９９】
［特徴Ｂ６］
前記複数の装飾部材は、前記第１方向と直交する第２方向（左右方向）で一直線上に並び、
前記一方の装飾部材と前記他方の装飾部材との間の距離は、前記第２方向で並ぶ際に最も近づき（図７（Ａ）に示す状態）、又は最も離れる（図７（Ｃ）に示す状態）特徴Ｂ５に記載の遊技機。
【０１００】
本特徴の遊技機では、複数の装飾部材が一直線上に並んだ状態で最も近づいたり、あるいは最も離れるので、複数の装飾部材がなす意味を維持しながら、遊技者に装飾部材全体を大きく見せることができる。
【０１０１】
［特徴Ｂ７］
前記往復経路上で駆動される前記装飾部材（第２装飾体１４２）を挟んだ２箇所に前記閉ループ経路上で駆動される前記装飾部材（第１装飾体１４１、第３装飾体１４３）が対称的に配置されると共に、前記閉ループ経路上で駆動される前記装飾部材同士が対称的に駆動される特徴Ｂ１乃至Ｂ６の何れか１に記載の遊技機。遊技機。
【０１０２】
本特徴の遊技機では、往復経路上で駆動される装飾部材を挟んで閉ループ経路上で駆動される２つの装飾部材が配置されるので、趣向性の高い演出をすることができる。
【０１０３】
［特徴Ｂ８］
第１の順番（左から右の順）で並んで全体で１つの意味をなす少なくとも２つ以上の複数の装飾部材（第１装飾体１４１、第２装飾体１４２）を有する遊技機（遊技機１０）であって、
前記複数の装飾部材は、前記第１の順番の並びを維持する範囲で互いに離接を繰り返しながら、上下左右の向きを維持した状態で往復経路（第２開口部１２４Ｂ）上を往復移動するように第１の可動面（主体部１２３のうち、第２構成面１２３Ｂと平行な第２可動面）内で駆動されるか、又は閉ループ経路（第１出力ギヤ１３１のボス１３１Ａ及び第３出力ギヤ１３３のボス１３３Ａの回転軌道）上を同一方向に移動し続けるように、前記第１の可動面を交差する方向に平行移動した第２の可動面（主体部１２３のうち、第１構成面１２３Ａと平行な第１可動面）内で駆動される遊技機。
【０１０４】
本特徴の遊技機では、複数の装飾部材が第１の順番の並びを維持しながら、奥行の異なる第１，第２の可動面内で駆動するので、装飾部材全体を立体的に表すことができる。また、遊技者に対して特に強調したい装飾部材を前方に設置することができる。これらにより、装飾部材による趣向性の高い演出を実現できる。
【０１０５】
［特徴Ｂ群に含まれる他の実施形態］
（ｂ１）上記実施形態では、第１装飾体１４１及び第３装飾体１４３と、第２装飾体１４２とをそれぞれ移動させて接離させる構成になっていたが、例えば、第２装飾体１４２を固定して、第１装飾体１４１及び第３装飾体１４３を移動させて接離させる構成としてもよい。
【０１０６】
（ｂ２）上記実施形態では、第１装飾体１４１〜第３装飾体１４３が姿勢を維持した状態で駆動する構成になっていたが、装飾体の姿勢が変化しながら駆動する構成であってもよい。
【０１０７】
（ｂ３）上記実施形態では、第１装飾体１４１〜第３装飾体１４３が遊技盤１１の前面と平行な第１可動面内又は第２可動面内で駆動される構成になっていたが、装飾体が遊技盤１１の前面と直交する方向に駆動する構成であってもよい。
【０１０８】
（ｂ４）上記実施形態では、第２装飾体１４２が上下方向に往復移動する構成であったが、例えば、第２装飾体１４２が左右方向に往復移動する構成であってもよい。また、第２装飾体１４２は、直線状の経路を往復移動する構成であってもよいし、円弧状に湾曲した経路を往復移動する構成であってもよい。
【０１０９】
（ｂ５）上記実施形態では、第２装飾体１４２を上下方向に往復移動させ、第１装飾体１４１及び第３装飾体１４３を円軌道を描いて対称的に移動させて、接近と離間を繰り返す構成になっていたが、例えば、第２装飾体１４２を上下方向に往復移動させ、第１装飾体１４１及び第３装飾体１４３を左右方向に対称的に往復移動させて、接近と離間を繰り返す構成としてもよい。
【０１１０】
＜特徴Ｃ群＞
［特徴Ｃ１］
遊技者と対向する演出窓（演出窓２３Ｗ）の前方に第１ベース部材（可動ベース１２１）が設けられて、その第１ベース部材に複数の装飾部材（第１装飾体１４１〜第３装飾体１４３）が前側から重ねて配置された遊技機（遊技機１０）であって、
前記複数の装飾部材が、遊技者から見て互いに重ならないように前記第１ベース部材の内側に位置した集合状態（図７（Ａ）に示す状態）と、前記集合状態より前記複数の装飾部材同士が離れかつ少なくとも１つの前記装飾部材の少なくとも一部が前記第１ベース部材の外側にはみ出した分散状態（図７（Ｂ）〜図７（Ｄ）に示す状態）とに変化するように少なくとも１つの前記装飾部材が駆動される遊技機。
【０１１１】
本特徴の遊技機では、集合状態から分散状態に変化することで、複数の装飾部材によってなされる範囲をより大きく見せることができる。これにより、装飾部材による趣向性の高い演出を実現できる。
【０１１２】
［特徴Ｃ２］
前記第１ベース部材は、前記演出窓の範囲内である第１位置（図２及び図３に示す位置）と第２位置（図４に示す位置）との間を往復移動可能に支持される特徴Ｃ１に記載の遊技機。
【０１１３】
本特徴の遊技機では、第１ベース部材が第１位置と第２位置との間を往復移動することで、装飾部材による演出の実施範囲を広く設定できる。
【０１１４】
［特徴Ｃ３］
前記複数の装飾部材は、前記第１位置で前記集合状態（図２及び図３の示す状態）に変化し、前記第２位置で前記分散状態に変化する特徴Ｃ２に記載の遊技機。
【０１１５】
本特徴の遊技機では、趣向性の高い演出によって遊技者の気持ちを高揚させることができる。
【０１１６】
［特徴Ｃ４］
前記装飾部材は、前記往復移動に伴って、第１動作（上下方向に往復移動する動作）を複数周期に亘って繰り返すか、又は前記第１動作と異なる第２動作（円軌道上を移動する動作）を複数周期に亘って繰り返す特徴Ｃ２又はＣ３に記載の遊技機。
【０１１７】
本特徴の遊技機では、装飾部材の動作が多様化し、遊技者を楽しませることができる。
【０１１８】
［特徴Ｃ５］
前記第１動作は、往復経路（第２開口部１２４Ｂ）上を往復移動するように駆動される動作であり、前記第２動作は、閉ループ経路（第１出力ギヤ１３１のボス１３１Ａ及び第３出力ギヤ１３３のボス１３３Ａの回転軌道）上を同一方向に移動し続けるように駆動される動作である特徴Ｃ４に記載の遊技機。
【０１１９】
本特徴の遊技機では、装飾部材の動作の趣向性を高くすることができる。
【０１２０】
［特徴Ｃ６］
前記第１ベース部材は、前記複数の装飾部材を連動させる駆動源（駆動源１３０Ｋ）を有する特徴Ｃ１乃至Ｃ５の何れか１に記載の遊技機。
【０１２１】
本特徴の遊技機では、複数の装飾部材が連動するので、演出に一体感を持たせることができる。
【０１２２】
［特徴Ｃ７］
遊技者と対向する演出窓（演出窓２３Ｗ）の前方に第１ベース部材（可動ベース１２１）が設けられて、その第１ベース部材に複数の装飾部材（第１装飾体１４１〜第３装飾体１４３）が前側から重ねて配置された遊技機（遊技機１０）であって、
前記第１ベース部材は、前記演出窓の範囲内である第１位置（図２及び図３に示す位置）と第２位置（図４に示す位置）との間を往復移動可能に支持されて、
前記複数の装飾部材が、遊技者から見て互いに重ならないように、前記第１位置で前記第１ベース部材の内側に位置した集合状態（図２、図３及び図７（Ａ）に示す状態）と、前記第２位置で、前記集合状態より前記複数の装飾部材同士が離れかつ少なくとも１つの前記装飾部材の少なくとも一部が前記第１ベース部材の外側にはみ出した分散状態（図７（Ｂ）〜図７（Ｄ）に示す状態）とに変化するように少なくとも１つの前記装飾部材が駆動される遊技機。
【０１２３】
本特徴の遊技機では、複数の装飾部材を有する第１可動ベースが移動し、さらに、複数の装飾部材が集合状態から分散状態に変化して、複数の装飾部材によってなされる範囲をより大きく見せることができる。これにより、装飾部材による趣向性の高い演出を実現できる。
【０１２４】
［特徴Ｃ群に含まれる他の実施形態］
（ｃ１）上記実施形態では、第１装飾体１４１〜第３装飾体１４３を１つの駆動源１３０Ｋで駆動させていたが、これら第１装飾体１４１〜第３装飾体１４３を別々の駆動源で駆動させる構成としてもよい。
【０１２５】
（ｃ２）上記実施形態では、可動ベース１２１が第１位置と第２位置の間を往復移動する構成であったが、可動ベース１２１が移動しない構成であってもよい。
【０１２６】
（ｃ３）上記実施形態では、可動ベース１２１が遊技者に視認可能な第１位置から移動する構成になっていたが、可動ベース１２１が遊技者に視認困難な位置から遊技者に視認可能な位置に移動する構成であってもよい。
【０１２７】
（ｃ４）上記実施形態では、第１装飾体１４１〜第３装飾体１４３が遊技者からみて重ならない状態を集合状態としていたが、複数の装飾体の少なくとも１つの装飾体の一部が別の装飾体の後方に重なる状態（例えば、第１装飾体１４１の一部が第２装飾体１４２の後方に重なる状態）を集合状態としてもよい。
【符号の説明】
【０１２８】
１０    遊技機
１００    可動役物装置
１１０    支持ベース
１２０    可動演出部材
１２１    可動ベース
１４１    第１装飾体
１４２    第２装飾体
１４３    第３装飾体
【図１】
2020048640.tif 000003
【図２】
2020048640.tif 000004
【図３】
2020048640.tif 000005
【図４】
2020048640.tif 000006
【図５】
2020048640.tif 000007
【図６】
2020048640.tif 000008
【図７】
2020048640.tif 000009
【図８】
2020048640.tif 000010
【図９】
2020048640.tif 000011